(57)【要約】【課題】接続端子をハウジングに装着する際に、接続端子に接続される電線が座屈することを抑制するコネクタを提供する。【解決手段】コネクタ１は、端子接続部３１の基端部に電線接続部３２が設けられた接続端子３と、接続端子３を収容するハウジング４とを備え、電線接続部３２は、電線配置空間３２１ｂの周囲に配置された弾性片３２２を備え、ハウジング４は、接続端子３が挿脱方向にスライド移動可能に挿入された端子挿入孔４１と、電線２が挿入され、端子挿入孔４１に連通した電線挿入孔４２と、端子挿入孔４１の内周面に設けられた押付部４１４ａとを備え、押付部４１４ａは、電線２の露出導体部２ａが電線挿入孔４２から端子挿入孔４１内の接続端子３の電線配置空間３２１ｂに配置された状態で、端子挿入孔４１内での接続端子３のスライド移動に伴って、弾性片３２２を電線配置空間３２１ｂ内の露出導体部２ａに押し付ける。【選択図】図９
2019061742.tif 000002
【特許請求の範囲】
【請求項１】
相手側端子と接続される端子接続部の基端部に、挿入された電線と接続される電線接続部が設けられた接続端子と、
前記接続端子が収容されるハウジングとが備えられ、
前記電線接続部は、
前記電線接続部に挿入された前記電線の露出導体部が配置される電線配置空間の周囲に配置された弾性片を備え、
前記ハウジングは、
前記接続端子が挿脱方向にスライド移動可能に挿入された端子挿入孔と、
前記電線が挿入され、前記端子挿入孔に連通した電線挿入孔と、
前記端子挿入孔の内周面に設けられた押付部とを備え、
前記押付部は、前記電線の露出導体部が前記電線挿入孔から前記端子挿入孔内の前記接続端子の前記電線配置空間に配置された状態で、前記端子挿入孔内での前記接続端子のスライド移動に伴って、前記弾性片を前記電線配置空間内の前記露出導体部に押し付ける
コネクタ。
【請求項２】
前記弾性片は、前記電線配置空間の外周側に張り出した張出部を有し、
前記張出部には、前記端子挿入孔内での前記接続端子のスライド移動方向に対して傾斜した傾斜面が設けられ、
前記端子挿入孔内での前記接続端子のスライド移動に伴って、前記押付部が前記傾斜面を相対的に摺動することで、前記弾性片が前記電線配置空間内の前記露出導体部に押し付けられる
請求項１に記載のコネクタ。
【請求項３】
前記端子挿入孔の内周面には、前記張出部が収容可能な凹部が設けられ、
前記押付部は、前記凹部の開口縁角部を含んで構成された
請求項２に記載のコネクタ。
【請求項４】
前記押付部は、前記端子挿入孔内での前記接続端子のスライド移動方向に対して傾斜した傾斜面を有し、
前記端子挿入孔内での前記接続端子のスライド移動に伴って、前記弾性片が前記傾斜面を相対的に摺動することで、前記弾性片が前記電線配置空間内の前記露出導体部に押し付けられる
請求項１又は請求項２に記載のコネクタ。
【請求項５】
前記弾性片は、前記電線配置空間の外周側に張り出した張出部を有し、
前記端子挿入孔の内周面には、前記張出部が収容可能な凹部が設けられ、
前記押付部は、前記凹部における前記スライド移動方向の側の傾斜した側面として構成され、
前記端子挿入孔内での前記接続端子のスライド移動に伴って、前記張出部が前記傾斜面を相対的に摺動することで、前記弾性片が前記電線配置空間内の前記露出導体部に押し付けられる
請求項４に記載のコネクタ。
【請求項６】
前記弾性片には、前記電線配置空間の側に突出した突起部が設けられた
請求項１から請求項５のうちの一項に記載のコネクタ。
【請求項７】
前記弾性片は、電線挿入方向の手前側ほど前記電線配置空間の中心線からの間隔が大きくなる
請求項１から請求項６のうちの一項に記載のコネクタ。
【請求項８】
前記弾性片は、電線挿入方向に複数配置され、
前記複数の弾性片のうち、電線挿入方向の手前側の弾性片ほど、前記電線配置空間の中心線からの間隔が大きくなる
請求項１から請求項６のうちの一項に記載のコネクタ。
【請求項９】
前記弾性片は、前記電線の被覆部を押圧する被覆押圧部を有する
請求項１から請求項８のうちの一項に記載のコネクタ。
【請求項１０】
前記電線挿入孔の孔径の少なくとも出口側の大きさは、前記電線の露出導体部の直径よりも大きく前記電線の被覆部の直径よりも小さい
請求項１から請求項９のうちの一項に記載のコネクタ。
【請求項１１】
前記電線挿入孔の孔径の入口側の大きさは、前記電線の被覆部の外径よりも大きい
請求項１から請求項１０のうちの一項に記載のコネクタ。
【請求項１２】
前記接続端子の外周面には、位置決め凸部が設けられ、
前記ハウジングの内周面には、前記位置決め凸部が嵌合可能な仮位置決め凹部及び本位置決め凹部のうちの少なくとも一方が設けられ、
前記仮位置決め凹部は、前記端子挿入孔内での前記接続端子のスライド移動前の配置位置を規定し、前記本位置決め凹部は、前記端子挿入孔内での前記接続端子のスライド移動後の配置位置を規定している
請求項１から請求項１１のうちの一項に記載のコネクタ。
【請求項１３】
前記弾性片における前記端子挿入孔から押圧される箇所と、前記弾性片の基端との間の長さを第１の長さとし、
前記弾性片における前記露出導体部を押圧する箇所と、前記弾性片の基端との間の長さを第２の長さとし、
前記第１の長さは、前記第２の長さよりも長い
請求項１から請求項１２のうちの一項に記載のコネクタ。
【請求項１４】
前記端子接続部の外周面には、前記端子接続部の入口側の縁部に、前記端子接続部の外周側に突出した移動用リブが設けられた
請求項１から請求項１３のうちの一項に記載のコネクタ。
【請求項１５】
前記ハウジングに対し、前記端子挿入孔の側から装着されるハウジングケースが備えられ、
前記ハウジングケースは、前記ハウジングが収容可能な収容凹部を有し、
前記収容凹部の奧壁部には、前記相手側端子は挿通可能で且つ前記端子挿入孔内の前記接続端子は挿通不可能な大きさの開口部が設けられた
請求項１から請求項１２のうちの一項に記載のコネクタ。
【請求項１６】
請求項１から請求項１５のうちの一項に記載のコネクタの組立方法であって
前記ハウジングの前記端子挿入孔内に前記接続端子を挿入する工程と、
前記ハウジングの前記電線挿入孔から前記電線を挿通して、前記電線の露出導体部を前記接続端子の前記電線配置空間に配置させる工程と、
前記端子挿入孔内で前記接続端子を挿脱方向にスライド移動させることで、前記ハウジングの前記押付部によって、前記接続端子の弾性片を押圧して前記電線配置空間に配置された前記露出導体部に押し付ける工程とを含む
コネクタの組立方法。
【請求項１７】
請求項１から請求項１５のうちの一に記載のコネクタと、
前記コネクタの前記接続端子に接続された前記電線とが備えられた
コネクタ付ワイヤーハーネス。
【請求項１８】
相手側端子と接続される端子接続部の基端部に、挿入された電線と接続される電線接続部が設けられ、ハウジングに収容可能な接続端子であって、
前記ハウジングは、
前記接続端子が挿脱方向にスライド移動可能に挿入された端子挿入孔と、
前記電線が挿入され、前記端子挿入孔に連通した電線挿入孔と、
前記端子挿入孔の内周面に設けられた押付部とが備えられ、
前記電線接続部は、
前記電線接続部に挿入された前記電線の露出導体部が配置される電線配置空間の周囲に配置された弾性片を備え、
前記弾性片は、前記電線の露出導体部が前記電線挿入孔から前記端子挿入孔内の前記接続端子の前記電線配置空間に配置された状態で、前記端子挿入孔内での前記接続端子のスライド移動に伴って、前記押付部によって前記電線配置空間内の前記露出導体部に押し付けられる
接続端子。
【請求項１９】
電線配置空間の周囲に配置された弾性片を有する接続端子を収容するハウジングであって、
前記接続端子が挿脱方向にスライド移動可能に挿入される端子挿入孔と、
前記電線が挿入され、前記端子挿入孔に連通した電線挿入孔と、
前記端子挿入孔の内周面に設けられた押付部とを備え、
前記押付部は、前記電線の露出導体部が前記電線挿入孔から前記端子挿入孔内の前記接続端子の前記電線配置空間に配置された状態で、前記端子挿入孔内での前記接続端子のスライド移動に伴って、前記弾性片を前記電線配置空間内の前記露出導体部に押し付ける
ハウジング。
【発明の詳細な説明】
【技術分野】
【０００１】
この発明は、ハウジング内に接続端子が装着されると共に接続端子の基端部に電線が接続されたコネクタ、コネクタの組立方法、コネクタ付ワイヤーハーネス、接続端子、及び、ハウジングに関し、特に、接続端子と電線との接続構造に関する。
【背景技術】
【０００２】
従来のコネクタは、ハウジングと、ハウジングに装着される接続端子とを備えており、接続端子の基端部には、電線の端部が加締め接続されている。このような電線の端部に接続されるコネクタでは、接続端子の基端部に電線の端部が接続された状態で、接続端子がハウジングに装着される。このため、接続端子をハウジングに装着する際、接続端子の基端部に接続された電線が座屈する場合があった。
【先行技術文献】
【特許文献】
【０００３】
【特許文献１】特開２０１５−２３２９３１号公報
【発明の概要】
【発明が解決しようとする課題】
【０００４】
そこで、この発明は、接続端子をハウジングに装着する際に、接続端子に接続される電線が座屈することを抑制できるコネクタ、コネクタの組立方法、コネクタ付ワイヤーハーネス、接続端子、及び、ハウジングを提供することを目的とする。
【課題を解決するための手段】
【０００５】
この発明は、相手側端子と接続される端子接続部の基端部に、挿入された電線と接続される電線接続部が設けられた接続端子と、前記接続端子が収容されるハウジングとが備えられ、前記電線接続部は、前記電線接続部に挿入された前記電線の露出導体部が配置される電線配置空間の周囲に配置された弾性片を備え、前記ハウジングは、前記接続端子が挿脱方向にスライド移動可能に挿入された端子挿入孔と、前記電線が挿入され、前記端子挿入孔に連通した電線挿入孔と、前記端子挿入孔の内周面に設けられた押付部とを備え、前記押付部は、前記電線の露出導体部が前記電線挿入孔から前記端子挿入孔内の前記接続端子の前記電線配置空間に配置された状態で、前記端子挿入孔内での前記接続端子のスライド移動に伴って、前記弾性片を前記電線配置空間内の前記露出導体部に押し付けるコネクタである。
【０００６】
なお、弾性片が２つ以上ある場合は、それら弾性片で露出導体部を挟み込むことで、接続端子と電線とが電気的及び機械的に相互接続される。なお、弾性片が１つの場合は、弾性片は、露出導体部を反対側の他の部分に押し付けて、当該他の部分との間で露出導体部を挟み込むことで、接続端子と電線とが電気的及び機械的に相互接続される。  
また、端子挿入孔内での接続端子のスライド移動は、接続端子を端子挿入孔に挿入する方向と同方向への移動でもよく、その反対方向への移動でもよい。
【０００７】
この構成により、ハウジングの端子挿入孔内に接続端子を挿入した状態で電線の露出導体部をハウジング内の接続端子に配置し、この状態で、接続端子をハウジングの端子挿入孔内でスライド移動させることで、ハウジングの押付部によって、弾性片が電線の露出導体部に押し付けられる。この押し付けにより、接続端子と電線とが相互接続される。このように、ハウジング内に接続端子を挿入した後に、接続端子に電線が接続されるため、接続端子をハウジングに装着する際に、接続端子に接続される電線が座屈することを抑制することができる。
【０００８】
この発明の態様として、前記弾性片は、前記電線配置空間の外周側に張り出した張出部を有し、前記張出部には、前記端子挿入孔内での前記接続端子のスライド移動方向に対して傾斜した傾斜面が設けられ、前記端子挿入孔内での前記接続端子のスライド移動に伴って、前記押付部が前記傾斜面を相対的に摺動することで、前記弾性片が前記電線配置空間内の前記露出導体部に押し付けられてもよい。
【０００９】
なお、この構成では、押付部は、端子挿入孔の内周面において凸部の側面を含む形で設けられてもよく、弾性片の張出部が収容可能な凹部の開口縁角部を含む形で設けられてもよく、弾性片の張出部が収容可能な凹部の傾斜した側面を含む形で設けられてもよい。
【００１０】
この構成により、弾性片に傾斜面を設け、その傾斜面に押付部を相対的に摺動させることで、簡易な仕組みで、端子挿入孔内での接続端子のスライド移動に伴って、弾性片を電線接続部内の露出導体部に押し付けることができる。また、弾性片に張出部を設けることで、張出部を利用して容易に、弾性片に傾斜面を設けることができる。
【００１１】
また、この発明の態様として、前記端子挿入孔の内周面には、前記張出部が収容可能な凹部が設けられ、前記押付部は、前記凹部の開口縁角部を含んで構成されてもよい。  
この構成により、押付部を簡易な構成で設けることができる。また、押付部は、端子挿入孔の内周面に凹部として設けられるため、端子挿入孔の内部側に凸出しない。このため、端子挿入孔内に押付部の配置スペースを確保する必要がなく、ハウジングの小型化に寄与することができる。
【００１２】
また、この発明の態様として、前記押付部は、前記端子挿入孔内での前記接続端子のスライド移動方向に対して傾斜した傾斜面を有し、前記端子挿入孔内での前記接続端子のスライド移動に伴って、前記弾性片が前記傾斜面を相対的に摺動することで、前記弾性片が前記電線配置空間内の前記露出導体部に押し付けられてもよい。
【００１３】
この構成では、押付部は、例えば、端子挿入孔の内周面に設けられた凸部の傾斜した側面として構成されてもよく、端子挿入孔の内周面に設けられた凹部の傾斜した側面として構成されてもよい。凹部の傾斜した側面として設けられる場合は、弾性片には、電線配置空間の外周側に張り出し、前記凹部内に収容可能な張出部が設けられることで、有効に、弾性片を傾斜面（押付部）を摺動させることができる。  
この構成により、押付部を傾斜面という簡易な構成で設けることができる。
【００１４】
また、この発明の態様として、前記弾性片は、前記電線配置空間の外周側に張り出した張出部を有し、前記端子挿入孔の内周面には、前記張出部が収容可能な凹部が設けられ、前記押付部は、前記凹部における前記スライド移動方向の側の傾斜した側面として構成され、前記端子挿入孔内での前記接続端子のスライド移動に伴って、前記張出部が前記傾斜面を相対的に摺動することで、前記弾性片が前記電線配置空間内の前記露出導体部に押し付けられてもよい。
【００１５】
この構成により、押付部を、端子挿入孔の内周面に設けられた凹部の傾斜した側面を利用して簡易に設けることができる。また、押付部は、端子挿入孔の内周面に設けられた凹部の側面として構成されるため、端子挿入孔の内部側に凸出しない。このため、端子挿入孔内に押付部の配置スペースを確保する必要がなく、ハウジングの小型化に寄与することができる。
【００１６】
また、この発明の態様として、前記弾性片には、前記電線配置空間の側に突出した突起部が設けられてもよい。  
この構成により、弾性片は突起部で露出導体部に接触するため、弾性片（即ち接続端子）と露出導体部とを確実に電気的に接続することができる。
【００１７】
また、この発明の態様として、前記弾性片は、電線挿入方向の手前側ほど前記電線配置空間の中心線からの間隔が大きくなってもよい。  
なお、弾性片は、電線挿入方向の手前側ほど接続端子の電線配置空間の中心線からの間隔が大きくなるために、傾斜状又は階段状に形成されてもよい。
【００１８】
この構成により、複数サイズの露出導体部の太さに対応可能である。即ち、露出導体部が細い場合は、露出導体部を接続端子の電線配置空間内の奧まで挿入し、露出導体部が太い場合は、露出導体部を接続端子の電線配置空間内の手前側まで挿入する。これにより、弾性片を、露出導体部の太さに応じた最適な力で露出導体部に押し付けることができる。
【００１９】
また、この発明の態様として、前記弾性片は、電線挿入方向に複数配置され、前記複数の弾性片のうち、電線挿入方向の手前側の弾性片ほど、前記電線配置空間の中心線からの間隔が大きくなってもよい。
【００２０】
この構成により、複数サイズの露出導体部の太さに対応可能である。即ち、露出導体部が細い場合は、複数の弾性片のうちの電線挿入方向の奧側の弾性片の所まで挿入し、露出導体部が太い場合は、複数の弾性片のうちの電線挿入方向の手前側の弾性片の所まで挿入する。これにより、弾性片を、露出導体部の太さに応じた最適な力で露出導体部に押し付けることができる。
【００２１】
また、この発明の態様として、前記弾性片は、前記電線の被覆部を押圧する被覆押圧部を有してもよい。  
この構成により、弾性片は、電線の露出導体部だけでなく電線の被覆部にも押し付けられるため、接続端子と電線との機械的な接続を強化することができる。
【００２２】
また、この発明の態様として、前記電線挿入孔の孔径の少なくとも出口側の大きさは、前記電線の露出導体部の直径よりも大きく前記電線の被覆部の直径よりも小さくてもよい。  
なお、電線挿入孔の孔径の入口側及び出口側の両方の大きさ（即ち電線挿入孔の全体）を電線の露出導体部の直径よりも大きく電線の被覆部の直径よりも小さくしてもよく、電線挿入孔の孔径の入口側及び出口側のうちの出口側だけを、電線の露出導体部の直径よりも大きく電線の被覆部の直径よりも小さくしてもよい。
【００２３】
この構成により、電線挿入孔から端子挿入孔へは、電線のうちの露出導体部だけを挿入することができる。これにより、端子挿入孔及び接続端子を露出導体部の直径に合わせて細くでき、ハウジングの小型化に寄与することができる。
【００２４】
また、この発明の態様として、前記電線挿入孔の孔径の入口側の大きさは、前記電線の被覆部の外径よりも大きくてもよい。  
この発明では、端子挿入孔内での接続端子のスライド移動の際、この移動に伴って電線が電線挿入孔から若干押し出されて、電線の露出導体部が電線挿入孔の外側に露出する場合がある。上記の構成により、電線の被覆部の端部を電線挿入孔内に挿入することができるため、電線が電線挿入孔から若干押し出されても、露出導体部が電線挿入孔から露出することを防止することできる。これにより、ハウジングに複数の端子挿入孔及び電線挿入孔が設けられた場合、各電線挿入孔内の電線の間の絶縁性を確保することができる。
【００２５】
また、この発明の態様として、前記接続端子の外周面には、位置決め凸部が設けられ、前記ハウジングの内周面には、前記位置決め凸部が嵌合可能な仮位置決め凹部及び本位置決め凹部のうちの少なくとも一方が設けられ、前記仮位置決め凹部は、前記端子挿入孔内での前記接続端子のスライド移動前の配置位置を規定し、前記本位置決め凹部は、前記端子挿入孔内での前記接続端子のスライド移動後の配置位置を規定してもよい。
【００２６】
この構成により、位置決め凸部を仮位置決め凹部又は本位置決め凹部に嵌合させるだけで簡単に、接続端子をスライド移動前の仮配置位置又はスライド移動後の本配置位置に正確に位置決めすることができる。
【００２７】
また、この発明の態様として、前記弾性片における前記端子挿入孔から押圧される箇所と、前記弾性片の基端との間の長さを第１の長さとし、前記弾性片における前記露出導体部を押圧する箇所と、前記弾性片の基端との間の長さを第２の長さとし、前記第１の長さは、前記第２の長さよりも長くてもよい。
【００２８】
この構成により、テコの原理を利用できるため、押付部から弾性片に作用する押圧力が小さくても、十分大きな押圧力で、弾性片を電線の露出導体部に押し付けることができる。従って、端子挿入孔が弾性片から受ける反力も小さいため、端子挿入孔の傷みを抑制することができる。
【００２９】
また、この発明の態様として、前記端子接続部の外周面には、前記端子接続部の入口側の縁部に、前記端子接続部の外周側に突出した移動用リブが設けられてもよい。  
なお、移動用リブは、端子接続部の外周面のうち、相手側端子との接点が設けられた側壁部以外の側壁部の外側面に設けられることが望ましい。  
この構成により、器具（例えば精密ドライバ）を移動用リブに引っ掛けて移動用リブを引き出すことで、端子挿入孔から接続端子を引き出すことができる。
【００３０】
また、この発明の態様として、前記ハウジングに対し、前記端子挿入孔の側から装着されるハウジングケースが備えられ、前記ハウジングケースは、前記ハウジングが収容可能な収容凹部を有し、前記収容凹部の奧壁部には、前記相手側端子は挿通可能で且つ前記端子挿入孔内の前記接続端子は挿通不可能な大きさの開口部が設けられてもよい。  
この構成により、ハウジングケースによって、ハウジングに挿入された接続端子がハウジングから抜け落ちることを防止することができる。
【００３１】
また、この発明は、上記のコネクタの組立方法であって、前記ハウジングの前記端子挿入孔内に前記接続端子を挿入する工程と、前記ハウジングの前記電線挿入孔から前記電線を挿通して、前記電線の露出導体部を前記接続端子の前記電線配置空間に配置させる工程と、前記端子挿入孔内で前記接続端子を挿脱方向にスライド移動させることで、前記ハウジングの前記押付部によって、前記接続端子の弾性片を押圧して前記電線配置空間に配置された前記露出導体部に押し付ける工程とを含むコネクタの組立方法である。  
この構成により、上記のコネクタと同様の効果を得ることができる。
【００３２】
また、この発明は、上記のコネクタと、前記コネクタの前記接続端子に接続された前記電線とが備えられたコネクタ付ワイヤーハーネスである。  
この構成により、上記の効果を奏するコネクタ付ワイヤーハーネスを提供することができる。
【００３３】
また、この発明は、相手側端子と接続される端子接続部の基端部に、挿入された電線と接続される電線接続部が設けられ、ハウジングに収容可能な接続端子であって、前記ハウジングは、前記接続端子が挿脱方向にスライド移動可能に挿入された端子挿入孔と、前記電線が挿入され、前記端子挿入孔に連通した電線挿入孔と、前記端子挿入孔の内周面に設けられた押付部とが備えられ、前記電線接続部は、前記電線接続部に挿入された前記電線の露出導体部が配置される電線配置空間の周囲に配置された弾性片を備え、前記弾性片は、前記電線の露出導体部が前記電線挿入孔から前記端子挿入孔内の前記接続端子の前記電線配置空間に配置された状態で、前記端子挿入孔内での前記接続端子のスライド移動に伴って、前記押付部によって前記電線配置空間内の前記露出導体部に押し付けられる接続端子である。  
この構成により、上記の効果を奏するコネクタに供する接続端子を提供することができる。
【００３４】
また、この発明は、電線配置空間の周囲に配置された弾性片を有する接続端子を収容するハウジングであって、前記接続端子が挿脱方向にスライド移動可能に挿入される端子挿入孔と、前記電線が挿入され、前記端子挿入孔に連通した電線挿入孔と、前記端子挿入孔の内周面に設けられた押付部とを備え、前記押付部は、前記電線の露出導体部が前記電線挿入孔から前記端子挿入孔内の前記接続端子の前記電線配置空間に配置された状態で、前記端子挿入孔内での前記接続端子のスライド移動に伴って、前記弾性片を前記電線配置空間内の前記露出導体部に押し付けるハウジングである。  
この構成により、上記の効果を奏するコネクタに供するハウジングを提供することができる。
【発明の効果】
【００３５】
この発明によれば、接続端子をハウジングに装着する際に、接続端子に接続される電線が座屈することを抑制することができる。
【図面の簡単な説明】
【００３６】
【図１】コネクタと相手側コネクタとを示す分解斜視図。
【図２】コネクタと相手側コネクタとを透視した分解斜視図。
【図３】接続端子とハウジングと電線とを示す分解斜視図。
【図４】（ａ）は図３のＡ−Ａ断面図、（ｂ）は（ａ）の部分拡大図。
【図５】図３のＢ−Ｂ断面図。
【図６】ハウジングとハウジングケースとを示す分解斜視図。
【図７】（ａ）はハウジングとハウジングケースとの組付状態を示す斜視図、（ｂ）は（ａ）のＣ−Ｃ断面図。
【図８】コネクタの組立方法を説明する断面図。
【図９】（ａ）は接続端子のスライド移動中の動作を説明する部分拡大断面図、（ｂ）は接続端子のスライド移動後の状態を説明する部分拡大断面図。
【図１０】（ａ）は弾性片の形状の変形例を示す断面図、（ｂ）は（ａ）の部分拡大図、（ｃ）は接続端子のスライド移動後の状態を示す部分断面図。
【図１１】（ａ）は弾性片の形状の別の変形例を示す部分断面図、（ｂ）は接続端子のスライド移動後の状態を示す部分断面図。
【図１２】弾性片を傾斜させた場合の変形例を示す部分断面図。
【図１３】弾性片を電線挿入方向に沿って複数設けた場合の変形例を示す部分断面図。
【発明を実施するための形態】
【００３７】
＜実施形態＞  
図１から図９を参照して、この実施形態に係るコネクタ付ワイヤーハーネス２００を説明する。  
図１及び図２に示すように、コネクタ付ワイヤーハーネス２００は、電線２が束ねられた電線束の先端部にコネクタ１が接続されて構成されている。コネクタ付ワイヤーハーネス２００は、車両（例えば自動車）に搭載して使用可能である。
【００３８】
コネクタ１は、相手側コネクタ１００と着脱自在に嵌合接続するコネクタであり、電線２の端部に接続されて使用される。この実施形態では、一例として、コネクタ１は、メス型の接続端子３を備えたメス型コネクタであり、相手側コネクタ１００は、オス型の接続端子１０１を備えたオス型コネクタである。
【００３９】
コネクタ１は、接続端子３がハウジング４内に挿入された状態で、電線２の露出導体部２ａがハウジング４内の接続端子３に配置され、この状態で、接続端子３がハウジング４内で挿脱方向にスライド移動されることで、電線２と接続端子３とを電気的及び機械的に相互接続する点を特徴とするものである。
【００４０】
コネクタ１は、電線２に接続される複数の接続端子３と、複数の接続端子３が装着されるハウジング４と、ハウジング４をその前面側から収容するハウジングケース５と、ハウジング４の後面から引き出された電線２の束の端部を収容するようにハウジングケース５に装着されるリアカバー６とを備えている。
【００４１】
＜接続端子３＞  
図３及び図４に示すように、接続端子３は、金属部材で形成されており、細長棒状に形成されている。接続端子３は、相手側接続端子１０１と接続する端子接続部３１と、電線２と接続する電線接続部３２とを備えている。
【００４２】
端子接続部３１は、例えばメス型の端子接続部である。端子接続部３１は、相手側コネクタ１００の接続端子１０１のタブ部１０１ａが挿入される筒部３１１を備えている。筒部３１１は、例えば断面矩形の細長の筒状に形成されている。筒部３１１の先端部３１１ａは、開放した開口端である。以後、開口端３１１ａとも記載する。筒部３１１の内周面には、舌片部（図示省略）と、ビード３１３とが設けられている。
【００４３】
ビード３１３は、筒部３１１の内周面の４つの内側面のうちの１つの内側面に例えば断面台形状に凸出して設けられている。ビード３１３は、筒部３１１の長手方向の一定範囲に設けられている。  
上記の舌片部は、弾性片であり、筒部３１１の４つの内側面のうち、ビード３１３と対向する内側面に設けられている。上記の舌片部は、筒部３１１の内側面の開口端３１１ａ側の端部付近から筒部３１１の奥側に向かって延びると共にビード３１３側に張り出している。
【００４４】
このように構成された端子接続部３１では、筒部３１１内に相手側接続端子１０１のタブ部１０１ａが挿入されると、タブ部１０１ａは、上記の舌片部とビード３１３との間に挿入され、上記の舌片部の付勢力で上記の舌片部とビード３１３とで狭持される。これにより、端子接続部３１と相手側接続端子１０１とが電気的に接続される。
【００４５】
電線接続部３２は、端子接続部３１の基端部に設けられており、端子接続部３１の後方に延びている。電線接続部３２は、電線２の露出導体部２ａが挿入される筒部３２１を備えている。筒部３２１は、例えば断面矩形の細長の筒状に形成されている。筒部３２１は、端子接続部３１の筒部３１１よりも外径が小さく、段差部３２９を介して各筒部３１１，３２１の基端部同士を突き合わせる形で連結されている。筒部３２１の先端部３２１ａは、開放した開口端（即ち入口）である。以後、開口端３２１ａとも記載する。筒部３２１の内部空間３２１ｂは、筒部３２１に挿入された電線２が配置する電線配置空間である。以後、電線配置空間３２１ｂとも記載する。
【００４６】
筒部３２１には、２つの弾性片３２２が設けられている。各弾性片３２２は、筒部３２１に挿入された（即ち電線配置空間３２１ｂに配置された）電線２の露出導体部２ａを狭持して露出導体部２ａと電気的及び機械的に接続するものである。各弾性片３２２は、例えば、筒部３２１の側壁部が舌片状に切り出されて構成されている。
【００４７】
各弾性片３２２は、電線配置空間３２１ｂの周囲に配置されると共に、互いに対向するように配置されている。即ち、各弾性片３２２は、筒部３２１の４つの側壁部のうちの互いに対向する２つの側壁部に設けられている。各弾性片３２２は、例えば筒部３２１の入口側から奥側に向かって、筒部３２１の中心線Ｌに沿って延びている。
【００４８】
弾性片３２２の先端部には、筒部３２１の外周側（即ち電線配置空間３２１ｂの外周側）に例えば逆Ｖ字状に張り出した張出部３２３が設けられている。張出部３２３は、ハウジング４の後述の押付部４１４ａに当接する部分である。張出部３２３は、例えば、弾性片３２２の先端部が筒部３２１の外周側に屈曲されて一定距離離れて筒部３２１の内側に屈曲されることで、逆Ｖ字状に形成されている。張出部３２３の開口端３２１ａ側の傾斜面３２３ａは、開口端３２１ａ側ほど電線配置空間３２１ｂ側に傾斜している。即ち、傾斜面３２３ａは、ハウジング４の後述の端子挿入孔４１内での接続端子３のスライド移動方向に対して傾斜している。
【００４９】
弾性片３２２の先端部には、筒部３２１の内側（即ち電線配置空間３２１ｂ側）に例えば逆Ｖ字に突出した突起部３２４が設けられている。突起部３２４は、筒部３２１内に挿入された電線２の露出導体部２ａを押圧する部分（導体押圧部）である。突起部３２４は、例えば、弾性片３２２の先端部が筒部３２１の奥側且つ内側に傾斜した状態で、筒部３２１の内側を回って筒部３２１の入口側且つ外周側に折り返されることで、逆Ｖ字状に形成されている。
【００５０】
接続端子３の外周面には、位置決め凸部３２５と、移動用リブ３２６とが設けられている。  
位置決め凸部３２５は、ハウジング４の後述の位置決め凹部４１５，４１６に係合して、ハウジング４の後述の端子挿入孔４１内での接続端子３の配置を位置決めするものである。位置決め凸部３２５は、接続端子３の外周面の例えば長手方向の中央（例えば端子接続部３１の基端部付近）に突出状に設けられている。
【００５１】
移動用リブ３２６は、ハウジング４の端子挿入孔４１内で接続端子３を移動させるためのものである。移動用リブ３２６は、接続端子３の外周面の開口端３１１ａ側の縁部に突出状に設けられており、接続端子３の長手方向に沿って一定の長さで設けられている。移動用リブ３２６は、例えば、端子接続部３１の外周面のうち、相手側接続端子１０１との接続に影響しない部分（即ち上記の舌片部及びビード３１３が設けられていない側壁の外側面）に設けられている。
【００５２】
＜ハウジング４＞  
図３及び図５に示すように、ハウジング４は、例えば平面視矩形の平板状に形成されている。ハウジング４の前面４ａには、接続端子３が挿入される端子挿入孔４１が複数設けられている。各端子挿入孔４１は、ハウジング４の後面４ｂに向かって延在すると共に、ハウジング４の横幅方向に互いに間隔を空けて並設されている。ハウジング４の後面４ｂには、電線２が挿入される電線挿入孔４２が複数設けられている。各電線挿入孔４２は、各端子挿入孔４１に対応して、ハウジング４の横幅方向に互いに間隔を空けて並設されており、対応した端子挿入孔４１に連通している。
【００５３】
端子挿入孔４１は、接続端子３の端子接続部３１が挿入される拡径孔部４１１と、接続端子３の電線接続部３２が挿入され、拡径孔部４１１よりも直径が小さい縮径孔部４１２とを備えている。拡径孔部４１１と縮径孔部４１２とは、段差部４１３を介して連通している。
【００５４】
縮径孔部４１２の内周面には、接続端子３の張出部３２３が収容可能な凹部４１４が設けられている。凹部４１４は、接続端子３の２つの張出部３２３に対応して、ハウジング４の両主面の各側に１つずつ計２つ設けられている。各凹部４１４の底面は、例えばハウジング４の主面に貫通して開放されている。なお、凹部４１４は、端子挿入孔４１の内周面に対して凹んでおればよいので、凹部４１４の底面が外部に貫通して孔状になっていてもよい。  
【００５５】
凹部４１４の開口縁角部４１４ａは、接続端子３の傾斜面３２３ａに当接して弾性片３２２を接続端子３の筒部３２１の内側に弾性変位させる押付部として機能する。なお、押付部は、凹部４１４の開口縁角部４１４ａと、凹部４１４の周縁（即ち電線挿入孔４２の内周面のうちの凹部４１４の周辺）とで構成されている。以後、押付部４１４ａとも記載する。
【００５６】
端子挿入孔４１の内周面には、接続端子３の位置決め凸部３２５が嵌合可能な２つの位置決め凹部（仮位置決め凹部４１５及び本位置決め凹部４１６）が設けられている。  
本位置決め凹部４１６は、ハウジング４の端子挿入孔４１内での接続端子３のスライド移動後の本配置位置（即ち最終的な配置位置）を規定するものであり、例えば、拡径孔部４１１の内周面の奥側に設けられている。
【００５７】
仮位置決め凹部４１５は、ハウジング４の端子挿入孔４１内での接続端子３のスライド移動前の仮配置位置（即ち一時的な配置位置）を規定するものであり、例えば、拡径孔部４１１の内周面において、本位置決め凹部４１６の手前側に設けられている。各位置決め凹部４１５，４１６は、上記のスライド移動方向に沿って一列に並んでいる。
【００５８】
各位置決め凹部４１５，４１６は、端子挿入孔４１の内周面において、例えば、ハウジング４の両主面のうちの一方主面の側に設けられている。各位置決め凹部４１５，４１６の底面は、ハウジング４の上記の一方主面で開放している。各位置決め凹部４１５，４１６は、端子挿入孔４１の内周面に対して凹んでおればよいので、各位置決め凹部４１５，４１６の底面が外部に貫通して孔状になっていてもよい。  
【００５９】
仮位置決め凹部４１５と凹部４１４との間の間隔Ｌ１は、本位置決め凹部４１６と凹部４１４との間の間隔Ｌ２よりも長く、接続端子３の位置決め凸部３２５と張出部３２３との間の間隔Ｌ３（図４参照）と同程度の長さである。これにより、位置決め凸部３２５が仮位置決め凹部４１５に嵌った状態では、接続端子３の張出部３２３は、ハウジング４の凹部４１４に嵌り、位置決め凸部３２５が本位置決め凹部４１６に嵌った状態では、接続端子３の張出部３２３は、ハウジング４の凹部４１４から外れて凹部４１４の周縁に乗り上げる。
【００６０】
ハウジング４の両主面のうちの一方主面の前面４ａ側の縁部には、各接続端子３の移動用リブ３２６が嵌合する複数の切込部４１７が設けられている。各切込部４１７は、各端子挿入孔４１に重なる位置に設けられており、ハウジング４の前面４ａから後面４ｂ側に向かって一定の長さで切り込まれており、端子挿入孔４１の内周面と上記の一方主面との間を貫通している。
【００６１】
ハウジング４の両主面のうちの一方主面には、例えば、その一方主面の前面４ａ側の縁部に、ハウジングケース５の後述の案内溝５１ｂに嵌合する案内リブ４１８が設けられている。案内リブ４１８は、ハウジング４の前後方向に延びており、ハウジング４の横幅方向に互いに間隔を空けて複数設けられている。
【００６２】
電線挿入孔４２は、電線２の露出導体部２ａが挿入される縮径孔部４２１と、電線２の被覆部２ｂが挿入される拡径孔部４２２と、縮径孔部４２１と拡径孔部４２２との間に設けられ、拡径孔部４２２側から縮径孔部４２１側に行くほど縮径したテーパ孔部４２３とを備えている。
【００６３】
縮径孔部４２１は、電線挿入孔４２の奥側を構成しており、縮径孔部４２１の孔径は、電線２のうち露出導体部２ａのみが挿入可能となるように、電線２の露出導体部２ａの外径よりも大きく、電線２の被覆部２ｂの外径よりも小さい。拡径孔部４２２は、電線挿入孔４２の入口側を構成しており、拡径孔部４２２の孔径は、電線２の被覆部２ｂが挿入可能となるように、電線２の被覆部２ｂの外径よりも大きい。
【００６４】
＜ハウジングケース５＞  
図６及び図７に示すように、ハウジングケース５は、例えば偏平な略直方体状に形成されている。ハウジングケース５の後面５ｂには、複数のハウジング４が収容可能な収容凹部５１が設けられている。収容凹部５１は、例えば偏平な略直方体形である。収容凹部５１の内周面の両主面のうちの一方主面には、その横幅方向の中央に、収容凹部５１の入口側から奥側まで、内側に凸出した凸部５１ａが設けられている。
【００６５】
収容凹部５１には、例えば５個のハウジング４が収容可能である。より詳細には、収容凹部５１の内周面の一方主面側には、凸部５１ａの両側に１つずつハウジング４が収容可能であり、収容凹部５１の内周面の他方主面側には、横一列に３つのハウジング４が収容可能である。
【００６６】
収容凹部５１の内周面の両主面には、ハウジング４の案内リブ４１８が嵌合する案内溝５１ｂが設けられている。各案内溝５１ｂは、ハウジングケース５の前面５ａで開放しており、収容凹部５１の入口側から奥側に延びており、収容凹部５１の横幅方向に間隔を空けて並んでいる。案内溝５１ｂには、ハウジング４の案内リブ４１８の後端に係止可能な抜け防止用の突起部（図示省略）が設けられている。
【００６７】
ハウジングケース５の前面５ａには、相手側コネクタ１００の接続端子１０１が挿入可能な開口部５２が複数設けられている。各開口部５２は、収容凹部５１の奧壁部で収容凹部５１に連通している。各開口部５２は、相手側コネクタ１００の接続端子１０１のタブ部１０１ａは挿通可能であるが、ハウジング４の端子挿入孔４１に挿入された接続端子３の端子接続部３１は、挿通不可能な大きさに形成されている。
【００６８】
＜リアカバー６＞  
図１及び図２に示すように、リアカバー６は、例えば、前面開放で内部が中空の箱状に形成されている。リアカバー６は、例えば、前半側が幅広で、後半が幅細で、中間がテーパ状に形成されている。リアカバー６の前面６ａには、開口部６１が設けられている。リアカバー６の開口部６１に、コネクタ１のハウジングケース５の後面５ｂ側が組み付けられている。リアカバー６の後面６ｂには、コネクタ１に接続された電線２の束が引き出される開口部６２が設けられている。
【００６９】
＜コネクタの組立方法＞  
図６から図９を参照して、コネクタ１の組立方法を説明する。  
図８（ａ）に示すように、まず、接続端子３がハウジング４の端子挿入孔４１内の仮配置位置まで挿入される。この挿入状態では、接続端子３の位置決め凸部３２５が端子挿入孔４１内の仮位置決め凹部４１５に係合することで、接続端子３が端子挿入孔４１内の仮配置位置に仮固定される。また、この挿入状態では、接続端子３の弾性片３２２の張出部３２３が、端子挿入孔４１の凹部４１４に嵌り、接続端子３の電線接続部３２内（即ち電線配置空間３２１ｂ）に電線２の露出導体部２ａが挿入可能になる。
【００７０】
そして、図８（ｂ）に示すように、ハウジング４の電線挿入孔４２内に電線２が挿入される。この挿入状態では、電線２の露出導体部２ａが電線挿入孔４２を介して端子挿入孔４１の奧側から端子挿入孔４１内に挿入され、端子挿入孔４１内の接続端子３の電線接続部３２内に挿入され、２つの弾性片３２２の間に配置される。また、電線２の被覆部２ｂの端部が端子挿入孔４１の拡径孔部４２２内に挿入されている。
【００７１】
この挿入状態で、図８（ｃ）に示すように、接続端子３がハウジング４の端子挿入孔４１内の本配置位置までスライド移動される。即ち、接続端子３が端子挿入孔４１の更に奧まで挿入される。この挿入状態では、接続端子３の位置決め凸部３２５が端子挿入孔４１の本位置決め凹部４１６に係合することで、接続端子３が本配置位置に固定される。
【００７２】
なお、その挿入の際、図９（ａ）に示すように、接続端子３の弾性片３２２の張出部３２３の傾斜面３２３ａが端子挿入孔４１の押付部４１４ａに当接して、接続端子３のスライド移動に伴って押付部４１４ａが傾斜面３２３ａを摺動することで、押付部４１４ａが弾性片３２２を電線接続部３２内の露出導体部２ａに押し付ける。
【００７３】
そして、図８（ｃ）及び図９（ｂ）に示すように、接続端子３が本配置位置までスライド移動すると、弾性片３２２の張出部３２３は、端子挿入孔４１の凹部４１４から外れて凹部４１４の周縁（即ち端子挿入孔４１の内周面）に乗り上げて、端子挿入孔４１の内周面によって露出導体部２ａに常時押し付けられる。即ち、弾性片３２２による露出導体部２ａへの押し付けが固定される。
【００７４】
この結果、露出導体部２ａが２つの弾性片３２２で狭持される。これにより、接続端子３と電線２の露出導体部２ａとが電気的及び機械的に接続される。なお、弾性片３２２が露出導体部２ａに押し付けられた状態では、弾性片３２２の突起部３２４が露出導体部２ａに押圧される。これにより、より一層確実に、接続端子３と電線２の露出導体部２ａとが電気的に接続される。
【００７５】
なお、図９（ｂ）に示すように、上記の押し付け状態では、弾性片３２２の基端Ｐ１と、弾性片３２２における端子挿入孔４１の内周面（凹部４１４の周縁）から押圧される箇所Ｐ２との間の長さをＬ１とし、弾性片３２２の基端Ｐ１と、弾性片３２２における露出導体部２ａを押圧する箇所Ｐ３との間の長さをＬ２とすると、長さＬ１は長さＬ２よりも長くなる。このため、テコの原理を利用して、効果的に、弾性片３２２で露出導体部２ａが押し付けられる。
【００７６】
このように、各端子挿入孔４１に接続端子３が挿入されると共に各電線挿入孔４２に電線２が挿入されて、接続端子３と電線２とが接続される。
【００７７】
なお、上記のように接続端子３をスライド移動させる際、接続端子３の移動用リブ３２６を、図示省略の器具で当接して接続端子３をスライド移動させてもよい。これにより、接続端子３を手で触れないでスライド移動させることができる。接続端子３を端子挿入孔４１内に挿入する際は、例えば自動機（電線接続装置）で行うことができる。その際、各端子挿入孔４１で順番に接続端子３をスライド移動させてもよく、全ての端子挿入孔４１で同時に接続端子３をスライド移動させてもよい。
【００７８】
そして、このように接続端子３と電線２とがセットされたハウジング４が５つ準備される。そして、各ハウジング４がその前面４ａ側からハウジングケース５の収容凹部５１に収容される（図７参照）。即ち、ハウジングケース５が、ハウジング４に対して端子挿入孔４１の側から装着される。この際、各ハウジング４の案内リブ４１８がハウジングケース５の内周面の案内溝５１ｂに沿って挿入されることで、各ハウジング４は、ハウジングケース５内の決められた配置に収容される。
【００７９】
この収容状態では、ハウジングケース５の案内溝５１ｂ内の上記の突起部がハウジング４の案内リブ４１８の後端面に係合することで、ハウジング４がハウジングケース５内から抜けることが防止される。また、ハウジングケース５によって、ハウジング４に挿入された接続端子３がハウジング４から抜けることが防止される。なお、各ハウジング４に挿入された電線２は、結束バンド７で束ねられている。
【００８０】
そして、リアカバー６がハウジングケース５の前面５ａに装着される。この状態では、リアカバー６の開口部６２から電線２が引き出されている（図１参照）。
【００８１】
＜主要な効果＞  
以上のように、この実施形態に係るコネクタによれば、相手側接続端子１０１と接続する端子接続部３１の基端部に、挿入された電線２と接続する電線接続部３２が設けられた接続端子３と、接続端子３を収容するハウジング４とを備え、電線接続部３２は、電線接続部３２に挿入された電線２の露出導体部２ａが配置する電線配置空間３２１ｂの周囲に配置された弾性片３２２を備え、ハウジング４は、接続端子３が挿脱方向にスライド移動可能に挿入された端子挿入孔４１と、電線２が挿入され、端子挿入孔４１に連通した電線挿入孔４２と、端子挿入孔４１の内周面に設けられた押付部４１４ａとを備え、押付部４１４ａは、電線２の露出導体部２ａが電線挿入孔４２から端子挿入孔４１内の接続端子３の電線配置空間３２１ｂに配置された状態で、端子挿入孔４１内での接続端子３のスライド移動に伴って、弾性片３２２を電線配置空間３２１ｂ内の露出導体部２ａに押し付ける。
【００８２】
この構成により、ハウジング４の端子挿入孔４１内に接続端子３を挿入した状態で電線２の露出導体部２ａをハウジング４内の接続端子３に配置し、この状態で、接続端子３をハウジング４の端子挿入孔４１内で移動させることで、ハウジング４の押付部４１４ａによって、弾性片３２２が電線の露出導体部２ａに押し付けられる。この押し付けにより、接続端子３と電線２とが相互接続される。このように、ハウジング４内に接続端子３を挿入した後に、接続端子３に電線２が接続されるため、接続端子３をハウジング４に装着する際に、接続端子３に接続される電線２が座屈することを抑制することができる。
【００８３】
なお、この実施形態では、弾性片３２２は２つであるが、弾性片３２２は２つ以上でも１つでもよい。弾性片３２２が２つ以上ある場合は、それら弾性片３２２で露出導体部２ａを挟み込むことで、接続端子３と電線２とが電気的及び機械的に相互接続されるが、弾性片３２２が１つの場合は、弾性片３２２は、露出導体部２ａを反対側の他の部分（例えば電線接続部３２の側壁部）に押し付けることで、当該他の部分との間で露出導体部２ａを挟み込むことができる。  
また、この実施形態では、端子挿入孔４１内での接続端子３のスライド移動は、接続端子３を端子挿入孔４１に挿入する挿入方向と同方向への移動であるが、その挿入方向とは反対の方向に設定してもよい。
【００８４】
また、弾性片３２２は、電線配置空間３２１ｂの外周側に張り出した張出部３２３を有し、張出部３２３には、端子挿入孔４１内での接続端子３のスライド移動方向に対して傾斜した傾斜面３２３ａが設けられ、端子挿入孔４１内での接続端子３のスライド移動に伴って、押付部４１４ａが傾斜面３２３ａを相対的に摺動することで、弾性片３２２が電線配置空間３２１ｂ内の露出導体部２ａに押し付けられる。このため、弾性片３２２に傾斜面３２３ａを設け、その傾斜面３２３ａに押付部４１４ａを相対的に摺動させることで、簡易な仕組みで、端子挿入孔４１内での接続端子３のスライド移動に伴って、弾性片３２２を電線配置空間３２１ｂ内の露出導体部２ａに押し付けることができる。また、弾性片３２２に張出部３２３を設けることで、張出部３２３を利用して容易に、弾性片３２２に傾斜面３２３ａを設けることができる。
【００８５】
なお、この実施形態では、押付部４１４ａは、弾性片３２２の張出部３２３が収容可能な凹部４１４の開口縁角部４１４ａを含み形で設けられたが、端子挿入孔４１の内周面において凸部の側面として設けられてもよい。
【００８６】
また、端子挿入孔４１の内周面には、張出部３２３が収容可能な凹部４１４が設けられ、押付部４１４ａは、凹部４１４の開口縁角部４１４ａを含む形で構成されるため、押付部４１４ａを簡易な構成で設けることができる。また、押付部４１４ａは、端子挿入孔４１の内周面に凹部の開口縁角部４１４ａで設けられるため、端子挿入孔４１の内部側に凸出しない。このため、端子挿入孔４１内に押付部４１４ａの配置スペースを確保する必要がなく、ハウジング４の小型化に寄与することができる。
【００８７】
また、弾性片３２２には、電線配置空間３２１ｂの側に突出した突起部３２４が設けられ、弾性片３２２の突起部３２４で露出導体部２ａを押圧するため、弾性片３２２（即ち接続端子３）と露出導体部２ａとを確実に電気的に接続することができる。
【００８８】
また、電線挿入孔４２の孔径の少なくとも出口側の大きさ（即ち縮径孔部４２１の孔径）は、電線２の露出導体部２ａの直径よりも大きく電線２の被覆部２ｂの直径よりも小さいため、電線挿入孔４２から端子挿入孔４１へは、電線２のうちの露出導体部２ａだけを挿入することができる。これにより、端子挿入孔４１及び接続端子３を露出導体部２ａの直径に合わせて細くでき、ハウジング４の小型化に寄与することができる。
【００８９】
また、電線挿入孔４２の孔径の入口側の大きさ（即ち拡径孔部４２２の孔径）は、電線２の被覆部２ｂの外径よりも大きいため、電線２の被覆部２ｂの端部を電線挿入孔４２内に挿入することができる。このため、端子挿入孔４１内での接続端子３のスライド移動の際に、電線２が電線挿入孔４２から若干押し出されても、露出導体部２ａが電線挿入孔４２から露出することを防止することできる。これにより、ハウジング４に複数の端子挿入孔４１及び複数の電線挿入孔４２が設けられた場合、各電線挿入孔４２内の電線２の間の絶縁性を確保することができる。
【００９０】
また、接続端子３の外周面には、位置決め凸部３２５が設けられ、ハウジング４の内周面には、位置決め凸部３２５が嵌合可能な仮位置決め凹部４１５及び本位置決め凹部４１６のうちの少なくとも一方が設けられ、仮位置決め凹部４１５は、端子挿入孔４１内での接続端子３のスライド移動前の配置位置を規定し、本位置決め凹部４１６は、端子挿入孔４１内での接続端子３のスライド移動後の配置位置を規定しているため、位置決め凸部３２５を仮位置決め凹部４１５又は本位置決め凹部４１６に嵌合させるだけで簡単に、接続端子３をスライド移動前の仮配置位置又はスライド移動後の本配置位置に正確に位置決めすることができる。
【００９１】
また、弾性片３２２における端子挿入孔４１の内周面（即ち端子挿入孔４１を有するハウジング４）から押圧される箇所Ｐ２と、弾性片３２２の基端Ｐ１との間の長さを第１の長さＬ１とし、弾性片３２２における露出導体部２ａを押圧する箇所Ｐ３と、弾性片３２２の基端Ｐ１との間の長さを第２の長さＬ２とすると、第１の長さＬ１は、第２の長さＬ２よりも長い。このため、端子挿入孔４１の例えば内周面から弾性片３２２に作用する押圧力が小さくても、十分大きな押圧力で、弾性片３２２を電線２の露出導体部２ａに押し付けることができる。従って、端子挿入孔４１の内周面が弾性片３２２から受ける反力も小さいため、端子挿入孔４１の内周面の傷みを抑制することができる。
【００９２】
また、端子接続部３１の外周面には、端子接続部３１の入口側の縁部に、端子接続部３１の外周側に突出した移動用リブ３２６が設けられるため、器具（例えば精密ドライバ）を移動用リブ３２６に引っ掛けて移動用リブ３２６を引き出すことで、端子挿入孔４１から接続端子３を引き出すことができる。
【００９３】
また、ハウジング４に対し、端子挿入孔４１側から装着されるハウジングケース５を備え、ハウジングケース５は、ハウジング４が収容可能な収容凹部５１を有し、収容凹部５１の奧壁部には、相手側接続端子１０１が挿通可能で且つ端子挿入孔４１内の接続端子３は挿通不可能な大きさの開口部５２が設けられるため、ハウジングケース５によって、ハウジング４に挿入された接続端子３がハウジング４から抜け落ちることを防止することができる。
【００９４】
また、この実施形態に係るコネクタの組立方法によれば、ハウジング４の端子挿入孔４１内に接続端子３を挿入する工程と、ハウジング４の電線挿入孔４２から電線２を挿通して、電線２の露出導体部２ａを接続端子３の電線配置空間３２１ｂに配置させる工程と、端子挿入孔４１内で接続端子３を挿脱方向にスライド移動させることで、ハウジング４の押付部４１４ａで接続端子３の弾性片３２２を押圧して電線配置空間３２１ｂに配置された露出導体部２ａに押し付ける工程とを含むため、ハウジング４内に接続端子３を挿入した後に、接続端子３に電線２が接続されるため、接続端子３をハウジング４に装着する際に、接続端子３に接続される電線２が座屈することを抑制することができる。
【００９５】
また、この実施形態に係るコネクタ付ワイヤーハーネス２００によれば、コネクタ１と、コネクタ１の接続端子３に接続された電線２とが備えられるため、上記の効果を奏するコネクタ付ワイヤーハーネスを提供することができる。
【００９６】
また、この実施形態に係る接続端子３によれば、相手側接続端子１０１と接続される端子接続部３１の基端部に、挿入された電線２と接続される電線接続部３２が設けられ、ハウジング４に収容可能な接続端子３であって、ハウジング４は、接続端子３が挿脱方向にスライド移動可能に挿入された端子挿入孔４１と、電線２が挿入され、端子挿入孔４１に連通した電線挿入孔４２と、端子挿入孔４１の内周面に設けられた押付部４１４ａとが備えられ、電線接続部３２は、電線接続部３２に挿入された電線２の露出導体部２ａが配置される電線配置空間３２１ｂの周囲に配置された弾性片３２２を備え、弾性片３２２は、電線２の露出導体部２ａが電線挿入孔４２から端子挿入孔４１内の接続端子３の電線配置空間３２１ｂに配置された状態で、端子挿入孔４１内での接続端子３のスライド移動に伴って、押付部４１４ａによって電線配置空間３２１ｂ内の露出導体部２ａに押し付けられるため、上記の効果を奏するコネクタ１に供する接続端子３を提供することができる。
【００９７】
また、この実施形態に係るハウジング４によれば、電線配置空間３２１ｂの周囲に弾性片３２２を有する接続端子３を収容するハウジング４であって、接続端子３が挿入された端子挿入孔４１と、電線２が挿入され、端子挿入孔４１に連通した電線挿入孔４２と、端子挿入孔４１の内周面に設けられた押付部４１４ａとを備え、押付部４１４ａは、電線２の露出導体部２ａが電線挿入孔４２から端子挿入孔４１内の接続端子３の電線配置空間３２１ｂに配置された状態で、端子挿入孔４１内での接続端子３のスライド移動に伴って、弾性片３２２を電線配置空間３２１ｂ内の露出導体部２ａに押し付けるため、上記の効果を奏するコネクタ１に供するハウジング４を提供することができる。
【００９８】
＜変形例１＞  
上記の実施形態では、ハウジング４の押付部４１４ａと接続端子３の張出部３２３のうち、張出部３２３に傾斜面３２３ａが設けられたが、この変形例１では、図１０に示すように、押付部４１４ａが傾斜面を含む形で設けられる。以下、この変形例１について、上記の実施形態と同じ部分には同一符号を付して説明を省略して、異なる部分を中心に説明する。
【００９９】
図１０（ａ）（ｂ）に示すように、この変形例１のハウジング４の内周面には、上記の実施形態と同様に、接続端子３の弾性片３２２の張出部３２３が収容可能な凹部４１４が設けられている。凹部４１４におけるスライド移動方向の側（即ち端子挿入孔４１の奧側）の側面４１４ｂは、端子挿入孔４１の奧側ほど端子挿入孔４１の内部側に傾斜している。即ち、側面４１４ｂは、接続端子３のスライド移動方向に傾斜している。押付部４１４ａは、凹部４１４の傾斜面４１４ｂで構成されている。
【０１００】
この変形例１の各弾性片３２２は、上記の実施形態と同様に、電線配置空間３２１ｂの外周側に張り出した張出部３２３を有する。各弾性片３２２は、電線接続部３２の基端部側から先端部側に向かって延びている。張出部３２３は、弾性片３２２の先端部の側が電線配置空間３２１ｂの外周側に湾曲（第１湾曲部３２２ａ）し、その第１湾曲部３２２ａから弾性片３２２の先端側ほど内側に湾曲（第２湾曲部３２２ｂ）することで略Ｓ字状に形成されている。このように形成された弾性片３２２では、第１湾曲部３２２ａが電線の露出導体部２ａを押圧する導体押圧部になっている。以後、導体押圧部３２２ａとも記載する。
【０１０１】
この変形例１では、下記のように、接続端子３と電線２とが接続される。即ち、図１０（ａ）（ｂ）に示すように、ハウジング４の端子挿入孔４１の仮配置位置まで接続端子３が挿入される。そして、この挿入状態で、ハウジング４の電線挿入孔４２に電線２が挿入され、その電線２の露出導体部２ａが端子挿入孔４１の奧側から端子挿入孔４１内の接続端子３の電線接続部３２内に挿入される。この状態では、接続端子３の弾性片３２２の張出部３２３は、端子挿入孔４１の凹部４１４内に収容されている。そして、図１０（ｃ）に示すように、端子挿入孔４１内で接続端子３が本配置位置までスライド移動される。
【０１０２】
このスライド移動に伴って、接続端子３の弾性片３２２の張出部３２３が端子挿入孔４１の傾斜面４１４ｂを相対的に摺動することで、弾性片３２２の導体押圧部が電線接続部３２内の露出導体部２ａに押し付けられる。そして、張出部３２３が凹部４１４から外れて端子挿入孔４１の内周面（凹部４１４の周縁）に乗り上げることで、接続端子３による露出導体部２ａの押し付けが固定される。
【０１０３】
この変形例１によれば、押付部４１４ａを傾斜面４１４ｂという簡易な構成で設けることができる。押付部４１４ａを、端子挿入孔４１の内周面に設けられた凹部４１４の傾斜した側面４１４ｂを利用して簡易に設けることができる。また、押付部４１４ａは、端子挿入孔４１の内周面に設けられた凹部４１４の側面４１４ｂを含む形で構成されるため、端子挿入孔４１の内部側に凸出しない。このため、端子挿入孔４１内に押付部４１４ａの配置スペースを確保する必要がなく、ハウジング４の小型化に寄与することができる。
【０１０４】
なお、この変形例１では、押付部４１４ａは、端子挿入孔４１の内周面に設けられた凹部４１４の傾斜した側面４１４ｂを含む形で構成されたが、例えば、端子挿入孔４１の内周面に凸部を設け、押付部４１４ａは、上記の凸部の傾斜した側面を含む形で構成されてもよい。押付部４１４ａが凸部の傾斜した側面を含む形で設けられる場合は、弾性片３２２の張出部３２３は無くてもよい。
【０１０５】
＜変形例２＞  
図１１（ａ）に示すように、上記の変形例１において、更に、弾性片３２２は、電線２の被覆部２ｂを押圧する被覆押圧部３２２ｃを備えてもよい。即ち、この変形例２の弾性片３２２は、上記の弾性片３２２と同様に略Ｓ字形に曲げられており、更に、弾性片３２２の先端部は、電線配置空間３２１ｂの外周側に湾曲（第３湾曲部３２２ｃ）している。この第３湾曲部３２２ｃが被覆押圧部になっている。以後、被覆押圧部３２２ｃとも記載する。
【０１０６】
なお、この変形例２では、電線２の被覆部２ｂを電線挿入孔４２から端子挿入孔４１内に挿入でき、端子挿入孔４１内の電線接続部３２内に挿入することが可能になっている。この変形例２では、電線２の露出導体部２ａが２つの弾性片３２２の間に配置されると共に、電線２の被覆部２ｂの端部が２つの弾性片３２２の被覆部２ｂの間に配置される。
【０１０７】
この配置状態で、上記の実施形態と同様に、接続端子３がハウジング４の端子挿入孔４１内でスライド移動されることで、弾性片３２２の導体押圧部３２２ａが電線２の露出導体部２ａに押し付けられると共に弾性片３２２の被覆押圧部３２２ｃが電線２の被覆部２ｂに押し付けられる（図１１（ｂ）参照）。これにより、２つの弾性片３２２の導体押圧部３２２ａで電線２の露出導体部２ａが狭持されると共に、２つの弾性片３２２の被覆押圧部３２２ｃで電線２の被覆部２ｂも狭持される。このようにして、接続端子３と電線２とが接続される。  
この変形例２によれば、弾性片３２２は、電線２の露出導体部２ａだけでなく電線２の被覆部２ｂにも押し付けられるため、接続端子３と電線２との機械的な接続を強化することができる。
【０１０８】
＜変形例３＞  
図１２に示すように、この変形例３は、上記の実施形態において、２つの弾性片３２２の間隔を電線挿入方向の手前側ほど広がるように、各弾性片３２２を傾斜させたものである。換言すれば、各弾性片３２２を、電線挿入方向の手前側ほど電線配置空間３２１ｂの中心線からの間隔が大きくなるようにしたものである。
【０１０９】
この変形例３では、電線２の露出導体部２ａを、電線挿入孔４２から端子挿入孔４１内に挿入し、端子挿入孔４１内の接続端子３の電線接続部３２内に挿入する際、電線２の露出導体部２ａ（２Ｔ）が比較的に細い場合は、電線２の露出導体部２ａは、２つの弾性片３２２の間の奥側まで挿入される。他方、電線２の露出導体部２ａ（２Ｓ）が比較的に太い場合は、電線２の露出導体部２ａは、２つの弾性片３２２の間の手前側まで挿入される。そして、このように挿入された状態で、上記の実施形態と同様に、接続端子３が端子挿入孔４１内でスライド移動され、接続端子３と電線２とが接続される。
【０１１０】
この変形例３によれば、弾性片３２２で電線２の露出導体部２ａを狭持するにあたり、複数サイズの露出導体部２ａの太さに対応可能である。これにより、弾性片３２２を、露出導体部２ａの太さに応じた最適な力で露出導体部２ａに押し付けることができる。
【０１１１】
なお、この変形例３では、弾性片３２２は、電線挿入方向の手前側ほど接続端子３の電線接続部３２の中心線（即ち電線配置空間３２１ｂの中心線）からの間隔が大きくなるために、傾斜状に形成れたが、階段状に形成されてもよい。
【０１１２】
＜変形例４＞  
変形例３では、２つの弾性片３２２（即ち１組の弾性片３２２）の間の間隔をテーパ状に広げることで、複数サイズの太さの電線２に対応したが、図１３に示すように、変形例４では、それぞれ異なる電線２の太さに対応した複数組（例えば２組）の弾性片３２２（３２２Ｓ，３２２Ｔ）を設けることで、複数サイズの太さの電線２に対応する。
【０１１３】
より詳細には、電線接続部３２には、弾性片３２２の組が電線挿入方向に複数設けられる。各組内の各弾性片３２２は、電線配置空間３２１ｂの周囲を周方向に等間隔に配置している。弾性片３２２の各組のうち、電線挿入方向の手前側の弾性片３２２の組ほど、同じ組内の各弾性片３２２の間隔Ｒは大きくなっている。即ち、電線接続部３２には、電線挿入方向に複数の弾性片３２２Ｓ，３２２Ｔが設けられ、各弾性片３２２Ｓ，３２２Ｔと電線接続部３２の中心線Ｌとの間隔は、電線挿入方向の手前側ほど広くなっている。
【０１１４】
また、ハウジング４の端子挿入孔４１の内周面には、凹部４１４が電線挿入方向に複数設けられている。各凹部４１４は、各組の各弾性片３２２の張出部３２３が収容可能である。
【０１１５】
この変形例４では、電線２の露出導体部２ａは、ハウジング４の電線挿入孔４２から端子挿入孔４１内に挿入されて、端子挿入孔４１内の接続端子３の電線接続部３２内に挿入される際、その電線２の太さに対応した組内の弾性片３２２の間に挿入される。具体的には、電線２の露出導体部２ａ（２Ｔ）が比較的に細い場合は、電線２の露出導体部２ａは、弾性片３２２の各組のうち、電線挿入方向の奥側に設けられた組内の弾性片３２２Ｔの間に挿入される。他方、電線２の露出導体部２ａ（２Ｓ）が比較的に太い場合は、電線２の露出導体部２ａは、電線挿入方向の手前の組内の弾性片３２２Ｓの間に挿入される。そして、このように弾性片３２２の間に挿入された状態で、上記の実施形態と同様に、接続端子３が端子挿入孔４１内でスライド移動され、接続端子３と電線２とが接続される。
【０１１６】
この変形例４によれば、弾性片３２２で電線２の露出導体部２ａを狭持するにあたり、複数サイズの露出導体部２ａの太さに対応可能である。これにより、弾性片３２２を、露出導体部２ａの太さに応じた最適な力で露出導体部２ａに押し付けることができる。
【０１１７】
この変形例では、各組の弾性片３２２は、２つの弾性片３２２で構成されるが、３つ以上の弾性片３２２で構成されても、１つの弾性片３２２で構成されてもよい。
【０１１８】
この発明は、上述の実施形態及び変形例の構成のみに限定されるものではなく、上述の実施形態及び変形例の組み合わせも含み、多くの実施の形態を得ることができる。
【符号の説明】
【０１１９】
１…コネクタ
２…電線
２ａ…露出導体部
３…接続端子
４…ハウジング
５…ハウジングケース
３１…端子接続部
３２…電線接続部
４１…端子挿入孔
４２…電線挿入孔
５１…収容凹部
２００…コネクタ付ワイヤーハーネス
３２１ｂ…電線配置空間
３２２…弾性片
３２３…張出部
３２３ａ，４１４ｂ…傾斜面
３２４…突起部
３２６…移動用リブ
４１４…凹部
４１４ａ…押付部
【図１】
2019061742.tif 000003
【図２】
2019061742.tif 000004
【図３】
2019061742.tif 000005
【図４】
2019061742.tif 000006
【図５】
2019061742.tif 000007
【図６】
2019061742.tif 000008
【図７】
2019061742.tif 000009
【図８】
2019061742.tif 000010
【図９】
2019061742.tif 000011
【図１０】
2019061742.tif 000012
【図１１】
2019061742.tif 000013
【図１２】
2019061742.tif 000014
【図１３】
2019061742.tif 000015